(57)【要約】本発明は、表示パネルとバックライトとを組み付けるのみでテレビ受信装置等の最終製品として供することが可能であり、しかも有効表示領域を広く確保しつつ、パネルをバックライトに組み付ける場合の作業性にも優れた表示装置を提供する。本発明の表示装置１００は、光源５０と、前記光源５０の光を利用して表示を行う表示パネル１１と、前記表示パネル１１が取り付けられてなる第１キャビネットＣａと、前記光源５０が取り付けられてなる第２キャビネットＣｂと、を備え、前記第１キャビネットＣａと前記第２キャビネットＣｂとが互いに係合されてなり、これら第１キャビネットＣａ及び第２キャビネットＣｂが当該表示装置１００の外観を構成する外箱とされていることを特徴とする。
2010146934.tif 000002
【特許請求の範囲】
【請求項１】
光源と、
前記光源の光を利用して表示を行う表示パネルと、
前記表示パネルが取り付けられてなる第１キャビネットと、
前記光源が取り付けられてなる第２キャビネットと、を備え、
前記第１キャビネットと前記第２キャビネットとが互いに係合されてなり、これら第１キャビネット及び第２キャビネットが当該表示装置の外観を構成する外箱とされていることを特徴とする表示装置。
【請求項２】
前記第１キャビネットは枠状に構成され、その枠内に前記表示パネルの表示面が配されていることを特徴とする請求項１に記載の表示装置。
【請求項３】
前記第１キャビネットは弾性変形可能な爪部を備え、その爪部に前記表示パネルが係止されていることを特徴とする請求項１又は請求項２に記載の表示装置。
【請求項４】
前記第２キャビネットは、底面と、前記底面から立設する壁部とを備え、
前記底面に前記光源が取り付けられていることを特徴とする請求項１から請求項３のいずれか１項に記載の表示装置。
【請求項５】
前記第２キャビネットの内側には、前記光源に対して駆動電力を供給するための駆動電力供給基板が配されていることを特徴とする請求項１から請求項４のいずれか１項に記載の表示装置。
【請求項６】
前記光源からの光を拡散する光学シートを備え、
前記光学シートは、前記第１キャビネットと前記第２キャビネットとにより挟持されていることを特徴とする請求項１から請求項５のいずれか１項に記載の表示装置。
【請求項７】
前記第２キャビネットには、前記第１キャビネット側に突出する凸部が形成され、
前記第１キャビネットには、前記表示パネルを係止する爪部と、前記爪部の前記表示パネルを係止する側とは反対側に配され、前記凸部が収容される凸部収容部が形成されており、
前記凸部収容部に収容された前記凸部が、前記爪部を前記表示パネル側に付勢していることを特徴とする請求項１から請求項６のいずれか１項に記載の表示装置。
【請求項８】
前記光源からの光を拡散する光学シートを備え、
前記第１キャビネットには、前記光学シートを挟持するための第１挟持用部材が同一平面内に複数形成されるとともに、隣り合う前記第１挟持用部材の間には前記爪部が形成され、
前記第２キャビネットには、前記第１挟持用部材との間で前記光学シートを挟持する第２挟持用部材が形成されていることを特徴とする請求項７に記載の表示装置。
【請求項９】
前記凸部が前記光学シートの面方向の移動を規制していることを特徴とする請求項８に記載の表示装置。
【請求項１０】
前記光源からの光を拡散する光学シートを備え、
前記光学シートは、前記第１キャビネットに挟持されていることを特徴とする請求項１から請求項５のいずれか１項に記載の表示装置。
【請求項１１】
前記第２キャビネットは前記光源が取り付けられた底面を備え、
前記底面の一部の領域に前記光源が偏在してなる一方、前記底面の前記光源が配された領域と異なる領域には、前記光源に対して駆動電力を供給するための駆動電力供給基板が配されていることを特徴とする請求項１から請求項１０のいずれか１項に記載の表示装置。
【請求項１２】
前記表示パネルが液晶を用いた液晶パネルであることを特徴とする請求項１から請求項１１のいずれか１項に記載の表示装置。
【請求項１３】
請求項１から請求項１２のいずれか１項に記載の表示装置を備えることを特徴とするテレビ受信装置。
【発明の詳細な説明】
【技術分野】
【０００１】
本発明は、表示装置、及びテレビ受信装置に関する。
【背景技術】
【０００２】
例えば、液晶テレビなどの液晶表示装置に用いる液晶パネルは、自発光しないため、別途に照明装置としてバックライトを必要としている。特許文献１に記載の液晶表示装置は、バックライトが、複数の冷陰極管を収容したシャーシと、シャーシに光学部材を位置決めするためのフレームとからなり、このバックライトと液晶パネルとが、液晶パネルの表側から被せたベゼルによって組付け状態に保持された構成を有している。そして、この液晶表示装置を表裏両キャビネットで挟むようにしてテレビ受信装置を構成している。つまり、特許文献１にも明示されているように、液晶パネルとバックライトとをそれぞれ別途に製造し、それらをベゼルなどを用いて互いに組み付けることで液晶表示装置を製造し、さらに液晶表示装置を一対のキャビネットで挟むことでテレビ受信装置を製造しているのである。
【先行技術文献】
【特許文献】
【０００３】
【特許文献１】特開２００８−２９３７１１号公報
【０００４】
（発明が解決しようとする課題）
特許文献１の技術では、液晶パネルとバックライトとを別途生産し、これらを別工程で組み付け、さらに別工程でキャビネットに収容させることでテレビ受信装置を構成しているが、このような方法は工程数が増えるため必ずしも効率的な方法ではない。
また、特許文献１の技術では、液晶パネルをバックライトに対してベゼルにより組み付けるものとしているが、例えば液晶パネルを直接バックライトに載置した後、ベゼルにより組付けを行う場合、載置する部分を広幅にとると液晶パネルの有効表示領域が小さくなるため、載置部分を狭幅にとる必要性が生じる。しかしながら、狭幅部分に液晶パネルを載置することは、広幅部分に載置する場合に比して作業性が低いという問題を有している。
【発明の概要】
【０００５】
本発明は上記問題に鑑みてなされたものであって、表示パネル（パネルを備えた部品）とバックライト（光源を備えた部品）とを組み付けるのみでテレビ受信装置等の最終製品として供することが可能であり、しかも有効表示領域を広く確保しつつ、パネルをバックライトに組み付ける場合の作業性にも優れた表示装置を提供することを目的としている。また、本発明は、そのような表示装置を備えたテレビ受信装置を提供することを目的としている。
【０００６】
（課題を解決するための手段）
上記課題を解決するために、本発明の表示装置は、光源と、前記光源の光を利用して表示を行う表示パネルと、前記表示パネルが取り付けられてなる第１キャビネットと、前記光源が取り付けられてなる第２キャビネットと、を備え、前記第１キャビネットと前記第２キャビネットとが互いに係合されてなり、これら第１キャビネット及び第２キャビネットが当該表示装置の外観を構成する外箱とされていることを特徴とする。
【０００７】
上記構成によると、第１キャビネットには表示パネルを、第２キャビネットには光源を取り付けているため、各キャビネットを係合することで、光源からの光を利用した表示パネルの表示機能を実現することが可能となり得る。また、第１キャビネット及び第２キャビネットが当該表示装置の外観をなす外箱を構成するため、これら第１キャビネットと第２キャビネットとを係合するのみで、当該表示装置をテレビ受信装置等の最終製品として供することが可能となる。
特に、本発明では、表示パネル（パネルを備えた部品）とバックライト（光源を備えた部品）との間においてベゼル等の取付部材を廃止しているため、材料コストの削減が実現されている。また従来のように表示パネル（パネルを備えた部品）とバックライト（光源を備えた部品）の組付け後にこれを別個のキャビネットに収容することでテレビ受信装置等の最終製品を供する場合に比して、組付け工程数が削減されるため、この点でもコスト削減を実現できるものとなっている。
また、従来で言う表示パネル（パネルを備えた部品）とバックライト（光源を備えた部品）との位置合せが、第１キャビネットと第２キャビネットとの組付けにより実現されるため、その作業性が向上し、表示パネルにおいて位置合せ用の領域を確保する必要がなくなる。したがって、当該表示パネルの有効表示領域が小さくなる事態を伴うことなく、位置合せを容易に行うことが可能となる。
【０００８】
上記構成において、前記第１キャビネットは枠状に構成され、その枠内に前記表示パネルの表示面が配されているものとすることができる。
この場合、第１キャビネットと第２キャビネットを係合することのみで、表示パネルの表示面を構成することができ、テレビ受信装置等の最終製品を供することが可能となる。
【０００９】
また、前記第１キャビネットは弾性変形可能な爪部を備え、その爪部に前記表示パネルが係止されているものとすることができる。
このように弾性変形可能な爪部により表示パネルを係止する場合、その弾性変形を利用した表示パネルの着脱が可能となる。また、表示パネルを係止する力が強固となる方向に当該爪部を弾性変形することで、表示パネルの係止を一層確実なものとすることが可能となる。
【００１０】
また、前記第２キャビネットは、底面と、前記底面から立設する壁部とを備え、前記底面に前記光源が取り付けられているものとすることができる。
このように底面に光源を取り付けることで、表示パネルと光源との距離を大きく確保することが可能となり、ひいては光源から出射される光のムラを解消することが可能となる。
【００１１】
また、前記第２キャビネットの内側には、前記光源に対して駆動電力を供給するための駆動電力供給基板が配されているものとすることができる。
第１キャビネットと第２キャビネットは、当該表示装置の外観をなす外箱を構成しているため、その外側に駆動電力を供給するための駆動電力供給基板を配することは、意匠上も安全上も好ましくない。そこで、光源が取り付けられた第２キャビネットの内側に駆動電力供給基板を配することとし、意匠上及び安全上の問題を解消し、しかも電力供給に係る配線等の簡素化も実現することとした。
【００１２】
また、前記光源からの光を拡散する光学シートを備え、前記光学シートは、前記第１キャビネットと前記第２キャビネットとにより挟持されているものとすることができる。
このように光学シートを前記第１キャビネットと前記第２キャビネットとにより挟持させるものとすれば、光源から出射される光のムラを解消することができ、しかも別途光学シートを取り付けるための部材を必要としないため、構成も簡便なものとなる。
【００１３】
また、前記光源からの光を拡散する光学シートを備え、前記光学シートは、前記第１キャビネットに挟持されているものとすることができる。
このように第１キャビネットに光学シートが挟持されるものとすれば、光源から出射される光のムラを解消することができ、しかも光学シートと光源との距離を大きく確保することが可能となり、ひいては光源から出射される光のムラを一層好適に解消することが可能となる。
【００１４】
また、前記第２キャビネットには、前記第１キャビネット側に突出する凸部が形成され、前記第１キャビネットには、前記表示パネルを係止する爪部と、前記爪部の前記表示パネルを係止する側とは反対側に配され、前記凸部が収容される凸部収容部が形成されており、前記凸部収容部に収容された前記凸部が、前記爪部を前記表示パネル側に付勢しているものとすることができる。
このように第２キャビネットの凸部により爪部を表示パネル側に付勢するものとすれば、表示パネルの係止を一層強固にでき、表示パネルが揺動し、ひいては位置ズレする不具合を解消することが可能となる。
【００１５】
また、前記第１キャビネットには、前記光学シートを挟持するための第１挟持用部材が同一平面内に複数形成されるとともに、隣り合う前記第１挟持用部材の間には前記爪部が形成され、前記第２キャビネットには、前記第１挟持用部材との間で前記光学シートを挟持する第２挟持用部材が形成されているものとすることができる。
このような構成によると、表示パネルの係止、光学シートの挟持、凸部による表示パネルの位置ズレ防止を併せて実現できるものとなる。つまり、第１キャビネットにおいて、隣り合う第１挟持用部材の間に表示パネルを係止する爪部を形成することで、第１挟持用部材と爪部（及び凸部）とが重なり合わないため、爪部による表示パネルの係止、挟持用部材による光学シートの挟持、凸部による表示パネルの位置ズレ防止を好適に実現できるようにしたのである。
【００１６】
また、前記凸部が前記光学シートの面方向の移動を規制しているものとすることができる。
凸部により、表示パネルの位置ズレ防止に加え、光学シートの面方向の移動を規制するものとすれば、別途に光学シートの規制部材を設ける必要がないため、構成が簡便なものとなる。
【００１７】
前記第２キャビネットは前記光源が取り付けられた底面を備え、前記底面の一部の領域に前記光源が偏在してなる一方、前記第２キャビネットの内側のうち前記光源が配された領域と異なる領域には、前記光源に対して駆動電力を供給するための駆動電力供給基板が配されているものとすることができる。
このように光源が配置されていない領域に駆動電力供給基板を配することで、第２キャビネットの内側に好適に駆動電力供給基板を配置することが可能となる。
【００１８】
なお、表示パネルとしては液晶パネルを例示することができる。このような表示装置は液晶表示装置として、種々の用途、例えばテレビやパソコンのデスクトップ画面等に適用でき、特に超薄型のテレビ受信装置として好適である。
【００１９】
（発明の効果）
本発明によると、表示パネルとバックライトとを組み付けるのみでテレビ受信装置等の最終製品として供することが可能であり、しかも有効表示領域を広く確保しつつ、パネルをバックライトに組み付ける場合の作業性にも優れた表示装置を提供することが可能となる。また、そのような表示装置により構成されるテレビ受信装置を提供することが可能となる。
【図面の簡単な説明】
【００２０】
【図１】本発明の実施形態１に係るテレビ受信装置の概略構成を示す分解斜視図。
【図２】図１のテレビ受信装置が備える液晶表示装置の構成を示す断面模式図。
【図３】図２の液晶表示装置において液晶パネルと光学シートとの組付関係を示す平面模式図。
【図４】実施形態１において、第１キャビネットに液晶パネルを取り付ける態様を示す模式図。
【図５】実施形態１において、第２キャビネットに光学シートを載置する態様を示す模式図。
【図６】実施形態１において、第１キャビネットと第２キャビネットとを組み付ける態様を示す模式図。
【図７】実施形態２に係る液晶表示装置の構成を示す断面模式図。
【図８】図７の液晶表示装置において液晶パネルと光学シートとの組付関係を示す平面模式図。
【図９】実施形態２において、第１キャビネットに液晶パネルと光学シートとを取り付ける態様を示す模式図。
【図１０】実施形態２において、第１キャビネットと第２キャビネットとを組み付ける態様を示す模式図。
【図１１】実施形態１の液晶表示装置の一変形例を示す断面模式図。
【図１２】実施形態２の液晶表示装置の一変形例を示す断面模式図。
【発明を実施するための形態】
【００２１】
＜実施形態１＞
本発明の実施形態１について図面を参照しつつ説明する。
図１に示したテレビ受信装置ＴＶは、液晶表示装置１０と、この液晶表示装置１０を載置するためのスタンドＳと、図示しない電源やチューナー等と、を備えて構成されている。
【００２２】
液晶表示装置（表示装置）１０は、全体として横長の方形を成し、縦置き状態でスタンドＳに支持されている。具体的には、横長方形の第１キャビネットＣａと第２キャビネットＣｂとによりその外観が構成され、これら第１キャビネットＣａと第２キャビネットＣｂが係合されて当該液晶表示装置１０の外箱を構成している。
【００２３】
第１キャビネットＣａは枠状の樹脂部材にて構成され、その枠内に収容される形で液晶パネル（表示パネル）１１が取り付けられており、液晶パネル１１の表示面１１ａが枠内に配されている。なお、第１キャビネットＣａの表面側にはスピーカ１１ｂ等が設けられている。一方、第２キャビネットＣｂは開口を有した箱状の樹脂部材にて構成され、箱底を構成する底面３０と、底面３０から立設する壁部３１とを備え、熱陰極管５０は底面３０に取り付けられている。
【００２４】
液晶表示装置１０においては、第１キャビネットＣａに対し、液晶パネル１１の表示面１１ａとは反対側に第２キャビネットＣｂが取り付けられ、第２キャビネットＣｂの熱陰極管５０から液晶パネル１１に対して光が供給される構成となっている。なお、第１キャビネットＣａと第２キャビネットＣｂとの間、詳しくは液晶パネル１１と熱陰極管５０との間には拡散板等の光学シート２０が配され、熱陰極管５０からの光を面状に拡散している。
【００２５】
ここで、液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。また、光学シート２０は、図２に示したように、第２キャビネットＣｂ側に厚さの大きい拡散板２２を、第１キャビネットＣａ側に厚さの小さい拡散レンズや反射型偏光シート等のシート類２１を含んで構成されている。
【００２６】
続いて、第１キャビネットＣａ及び第２キャビネットＣｂの構成、さらにはこれら第１キャビネットＣａと第２キャビネットＣｂとの組付けについて説明する。
【００２７】
第１キャビネットＣａは、図２に示すように、液晶パネル１１を係止するための爪部１３を有している。爪部１３は、図４に示すように係止面１３ｂを備え、当該係止面１３ｂと、その係止面１３ｂと対向して配される弾性部材（ポロン等）１２との間で、液晶パネル１１を挟持するものとなっている。また、爪部１３自身が弾性変形可能となっており、図４に示すように、液晶パネル１１を第１キャビネットＣａに取り付ける際には、爪部１３が拡開する方向（外側）に弾性変形し、液晶パネル１１が取り付けられた後には、液晶パネル１１を締め付ける方向（内側）に弾性変形する構成とされている（詳細は後述）。
【００２８】
また、第１キャビネットＣａの爪部１３には、液晶パネル１１を爪部１３の係止面１３ｂ内に収容する際に、この液晶パネル１１を押し込み方向（図４矢印方向）にガイドしつつ、押し込みに伴って爪部１３を弾性変形させることが可能なように、傾斜面１３ａが付与されている。なお、爪部１３の裏側、つまり液晶パネル１１を係止する側とは反対側には、後述する第２キャビネットＣｂの凸部３５を収容するための凸部収容部１８が形成されている。
【００２９】
第１キャビネットＣａには、光学シート２０を挟持するための挟持用片部（第１挟持用部材）１４が形成されている。図３に示すように、挟持用片部１４は同一平面内に複数形成され、隣り合う挟持用片部１４，１４の間に、平面視において爪部１３が位置するように各挟持用片部１４，１４、爪部１３，１３が配置されている。つまり、平面視において互いに重ならないように、挟持用片部１４と爪部１３とが配置されているのである。
【００３０】
一方、第２キャビネットＣｂは、図２に示すように、底面３０を構成する底板Ｃｂ１と、壁部３１を構成する壁板Ｃｂ２とを備えている。なお、壁部３１は、底面３０に対して所定の角度で傾斜するように配されている。
【００３１】
底板Ｃｂ１には、その底面３０上にランプクリップ７０を介して２本の熱陰極管５０が取り付けられており、熱陰極管５０から当該第２キャビネットＣｂの内面に発せられた光を反射するための反射シート６０が敷設されている。熱陰極管５０は、細長い管状をなす線状光源とされており、その長さ方向（軸方向）を第２キャビネットＣｂの長辺方向と一致させた状態で、かつ２本が互いに平行に並んだ状態で底面３０に配置されている。
【００３２】
反射シート６０は、合成樹脂製とされ、その表面が光反射性に優れた白色とされており、第２キャビネットＣｂの内面に沿ってそのほぼ全域を覆うように敷かれている。具体的には、底面３０に沿って敷設された底部に加え、壁部３１に沿うように傾斜した傾斜部（壁部３１とは若干角度は異なる）を備え、その傾斜部により反射した光を内側（当該表示装置の中心側）に指向させることが可能となっている。また、底板Ｃｂ１の底面３０のうち熱陰極管５０が配された領域３０ａとは異なる領域３０ｂには、熱陰極管５０に駆動電力を供給するための駆動電力供給基板等の回路基板８０が配されている。
【００３３】
ランプクリップ７０は、底板Ｃｂ１の底面３０に宛てられる板部７１と、板部７１から光学シート２０側に突出し、光学シート２０を支持する支持ピン７２と、同じく板部７１から光学シート２０側に突出し、熱陰極管５０を把持する光源把持部７４と、板部７１から底板Ｃｂ１側に突出し、当該ランプクリップ７０を底板Ｃｂ１に取り付けるための係止部７３と、を備えている。
【００３４】
壁板Ｃｂ２（壁部３１）の内面にも回路基板８０が配されており、テレビ受信装置ＴＶにおける映像を制御するための映像制御基板等が配されている。なお、上記と同様の駆動電力供給基板が配置することも可能である。
【００３５】
壁部３１の頂部分には、反射シート６０及び光学シート２０を載置するための、シート類挟持部（第２挟持用部材）３３が形成されており、シート類挟持部３３の載置面には第１キャビネットＣａ側に突出する凸部３５が形成されている。シート類挟持部３３は、第１キャビネットＣａの挟持用片部１４との間で光学シート２０を挟持するものであり、凸部３５は、その内側にて光学シート２０の面方向への移動を規制している。また、凸部３５は、上述したように第１キャビネットＣａの爪部１３の裏側（外側）に配された凸部収容部１８に収容され、その裏側（外側）から爪部１３を液晶パネル１１側（内側）に付勢している（図３も参照）。
【００３６】
次に、本実施形態の液晶表示装置１０の組立方法について説明する。
まず、第１キャビネットＣａに液晶パネル１１を取り付ける。つまり、別途製造された液晶パネル１１を第１キャビネットＣａの爪部１３に取り付けるのであるが、ここでは図４に示すように、第１キャビネットＣａの裏側から、爪部１３の傾斜面１３ａに対して液晶パネル１１を押し込むことで（矢印方向）、爪部１３を拡開する方向（外側）に弾性変形させ、係止面１３ｂと弾性部材１２の間に収容させる。液晶パネル１１が係止面１３ｂと弾性部材１２の間に収容されると、爪部１３が弾性復帰し、係止面１３ｂと弾性部材１２の間からの液晶パネル１１の脱落が防止ないし抑制されている。
【００３７】
一方、第２キャビネットＣｂに光学シート２０を載置させる。具体的には、図５に示すように、凸部３５に囲まれた領域内に、つまりシート類挟持部３３上に光学シート２０を載置させる。
【００３８】
そして、図６に示すように、これら第１キャビネットＣａと第２キャビネットＣｂとを、互いの取付面１９，３９を対向させて、尚且つ第１キャビネットＣａの凸部収容部１８に凸部３５が収容されるように組み付ける。この組み付けに伴い、光学シート２０は、第１キャビネットＣａの挟持用片部１４と第２キャビネットＣｂのシート類挟持部２２との間で挟持されることとなる。
このような第１キャビネットＣａと第２キャビネットＣｂとの係合により、液晶表示装置１０が完成し、これをスタンドＳ（図１参照）により支持することで、テレビ受信装置ＴＶが供される。
【００３９】
以上のような本実施形態のテレビ受信装置ＴＶによると、その液晶表示装置１０において、第１キャビネットＣａには液晶パネル１１を、第２キャビネットＣｂには熱陰極管５０を取り付けているため、各キャビネットＣａ，Ｃｂを係合することで、熱陰極管５０からの光を利用した液晶パネル１１の表示機能を実現することが可能となっている。
【００４０】
また、第１キャビネットＣａ及び第２キャビネットＣｂが当該液晶表示装置１０の外観をなす外箱を構成しているため、これら第１キャビネットＣａと第２キャビネットＣｂとを係合するのみで、当該液晶表示装置１０をテレビ受信装置ＴＶ等の最終製品として供することが可能となっている。特に、本実施形態では、ベゼル等の取付部材を廃止しているため、材料コストの削減が実現されている。また、例えば液晶パネルとバックライト装置の組付け後にこれを別個のキャビネットに収容することでテレビ受信装置等の最終製品を供する場合に比して、組付け工程数が削減されるため、この点でもコスト削減が実現されている。
【００４１】
また、液晶パネル１０のバックライト装置（ここでは第２キャビネットＣｂ）に対する位置合せが、第１キャビネットＣａと第２キャビネットＣｂとの係合により実現されるため、その作業性が向上し、液晶パネル１１において位置合せ用の領域を確保する必要がなくなる。したがって、当該液晶パネル１１の有効表示領域が小さくなる事態を伴うことなく、位置合せを容易に行うことが可能となる。
【００４２】
また、第１キャビネットＣａが枠状に構成され、その枠内に液晶パネル１１の表示面１１ａが配されている。したがって、第１キャビネットＣａと第２キャビネットＣｂを係合することのみで、液晶パネル１１の表示面１１ａを構成することができ、テレビ受信装置ＴＶの最終製品を供することが可能となる。
【００４３】
また、第１キャビネットＣａにおいては、弾性変形可能な爪部１３により液晶パネル１１を係止しているため、その弾性変形を利用した液晶パネル１１の着脱が可能となっている。また、第２キャビネットＣｂの凸部３５により、液晶パネル１１を係止する力が強固となる方向に当該爪部１３を弾性変形させているため、液晶パネル１１の係止を一層確実にしている。
【００４４】
また、第２キャビネットＣｂにおいては、底面３０に熱陰極管５０を取り付けているため、液晶パネル１１と熱陰極管５０との距離を大きく確保することが可能となっている。そのため、熱陰極管５０から出射される光のムラが解消され、液晶パネル１１の全面にわたって広く光が照射されるものとなっている。
【００４５】
また、本実施形態では、第１キャビネットＣａと第２キャビネットＣｂは、当該液晶表示装置１０の外観をなす外箱を構成しているため、その外側に駆動電力を供給するための駆動電力供給基板を配することは意匠上も安全上も好ましくない。そこで、熱陰極管５０が取り付けられた第２キャビネットＣｂの内側に駆動電力供給基板８０を配することとし、意匠上及び安全上の問題を解消し、しかも電力供給に係る配線等の簡素化も実現している。
【００４６】
また、熱陰極管５０からの光を拡散するための光学シート２０は、第１キャビネットＣａと第２キャビネットＣｂとにより挟持されているため、別途光学シート２０を取り付けるための部材をキャビネットＣａ，Ｃｂのいずれかに設ける必要がなく、その結果、構成が簡便なものとなっている。
【００４７】
また、第１キャビネットＣａの凸部収容部１８に収容された第２キャビネットＣｂの凸部３５が、爪部１３を液晶パネル１１側に付勢しているため、液晶パネル１１の係止を一層強固にでき、液晶パネル１１が位置ズレし、表示面１１ａが第１キャビネットＣａの枠内においてズレる不具合を解消することが可能となっている。
【００４８】
また、第１キャビネットＣａには、光学シート２０を挟持するための挟持用片部１４が同一平面内に複数形成され、隣り合う挟持用片部１４，１４の間（平面視）には爪部１３が形成されている。そして、第２キャビネットＣｂには、挟持用片部１４との間で光学シート２０を挟持するシート類挟持部３３が形成され、爪部１３を付勢する凸部３５が形成されている。これにより、液晶パネル１１の係止、光学シート２０の挟持、凸部による表示パネルの位置ズレ防止を併せて実現できるものとなっている。つまり、第１キャビネットＣａにおいて、隣り合う挟持用片部１４，１４の間に液晶パネル１１を係止する爪部１３を形成することで、挟持用片部１４と爪部１３（及び凸部３５）とが重なり合わないため、爪部１３による液晶パネル１１の係止、挟持用片部１４とシート類挟持部３３とによる光学シートの挟持、凸部３５による液晶パネル１１の位置ズレ防止を好適に実現できるものとなっている。
【００４９】
また、本実施形態では、第２キャビネットＣｂに設けた凸部３５により、液晶パネル１１の位置ズレ防止に加え、光学シート２０の面方向の移動が規制されている。そのため、別途に光学シート２０の規制部材を設ける必要がなく、構成が簡便となり、コスト削減に寄与可能となっている。
【００５０】
また、第２キャビネットＣｂは熱陰極管５０が取り付けられた底面３０を備え、底面３０の一部の領域３０ａに熱陰極管５０を偏在させ、第２キャビネットＣｂの内側のうち熱陰極管５０が配された領域３０ａと異なる領域３０ｂ（壁部３１を含む）に、熱陰極管５０に対して駆動電力を供給するための駆動電力供給基板８０を配している。このように熱陰極管５０が配置されていない領域に駆動電力供給基板８０を配することで、第２キャビネットＣｂの内側において好適に駆動電力供給基板８０を配置することが可能となっている。
【００５１】
＜実施形態２＞
次に、本発明の実施形態２のテレビ受信装置について説明する。
実施形態２のテレビ受信装置は、光学シート２０を挟持する構成が実施形態１と異なる。それ以外の構成については、概ね実施形態１のテレビ受信装置ＴＶと同様の構成であるため、説明を省略する。
【００５２】
実施形態２のテレビ受信装置ＴＶは、図７に示した液晶表示装置１００をスタンドＳ（図１参照）にて支持した構成を備える。
この液晶表示装置１００は、実施形態１の液晶表示装置１０とは異なり、第１キャビネットＣａにより光学シート２０を挟持するものとしている。具体的には、図７に示すように、第１キャビネットＣａの挟持用片部１４０と爪部１３との間で光学シート２０を挟持しており、図８に示すように、光学シート２０は、挟持用片部１４０と爪部１３とにより平面内で互い違いの位置で挟持される構成となっている。つまり、挟持用片部１４０と爪部１３とが平面視重なる状態（対向した状態）で光学シート２０を挟持するのではなく、平面視ずれた位置で光学シート２０を挟持している。
【００５３】
このような構成の液晶表示装置１００の組付けについては、以下の通りである。
まず、図９に示すように、実施形態１と同様に液晶パネル１１を爪部１３に係止させ、その後、挟持用片部１４０と爪部１３との間に光学シート２０を挟持させて、第１キャビネットＣａにおける組付けを完成する。一方、第２キャビネットＣｂについては、底板Ｃｂ１ないし壁板Ｃｂ２に回路基板８０、反射シート６０、熱陰極管５０等を取り付ける。そして、これら第１キャビネットＣａと第２キャビネットＣｂとを、図１０に示すように、各取付面１９，３９を対向させた状態で組み付け、液晶表示装置１００を完成する。
【００５４】
＜他の実施形態＞
以上、本発明の実施形態について示したが、本発明は上記記述及び図面によって説明した実施形態に限定されるものではなく、例えば次のような実施形態も本発明の技術的範囲に含まれる。
（１）上記実施形態１，２では、光源として熱陰極管５０を用いるものとしているが、例えば冷陰極管を光源として用いることも可能である。
（２）上記実施形態１，２では、熱陰極管５０を２本、底板Ｃｂ１の中心領域３０ａに偏在して配置するものとしているが、例えば図１１や図１２に示すように、底板Ｃｂ１の全面に熱陰極管５０を配置するものとしても良い。特に、光源として冷陰極管を用いる場合には、底板Ｃｂ１の全面に対する並列配置が好ましい。なお、図１１は実施形態１の液晶表示装置１０において熱陰極管５０を底板Ｃｂ１の略全域に並列配置したもの、図１２は実施形態２の液晶表示装置１００において熱陰極管５０を底板Ｃｂ１の略全域に並列配置したものである。
（３）なお、図１１及び図１２に示したように、熱陰極管５０を底板Ｃｂ１の略全域に並列配置する場合には、回路基板８０を第２キャビネットＣｂの外側に配置する態様も採用し得る。ただし、この場合は、回路基板８０の更に外側に絶縁性の保護カバーを設けることが好ましい。
【符号の説明】
【００５５】
１０，１００…液晶表示装置（表示装置）、１１…液晶パネル（表示パネル）、１１ａ…表示面、１３…爪部、１３ａ…傾斜面、１３ｂ…係止面、１４，１４０…挟持用片部（第１挟持用部材）、１８…凸部収容部、１９…取付面、２０…光学シート、３０…底面、３１…壁部、３３…シート類挟持部、３５…凸部、３９…取付面、５０…熱陰極管（光源）、６０…反射シート、７０…ランプクリップ、７１…支持ピン、ＴＶ…テレビ受信装置、Ｃａ…第１キャビネット（表側キャビネット）、Ｃｂ…第２キャビネット（裏側キャビネット）
【図１】
2010146934.tif 000003
【図２】
2010146934.tif 000004
【図３】
2010146934.tif 000005
【図４】
2010146934.tif 000006
【図５】
2010146934.tif 000007
【図６】
2010146934.tif 000008
【図７】
2010146934.tif 000009
【図８】
2010146934.tif 000010
【図９】
2010146934.tif 000011
【図１０】
2010146934.tif 000012
【図１１】
2010146934.tif 000013
【図１２】
2010146934.tif 000014
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
光源と、
前記光源の光を利用して表示を行う表示パネルと、
前記表示パネルが取り付けられてなる第１キャビネットと、
前記光源が取り付けられてなる第２キャビネットと、を備え、
前記第１キャビネットと前記第２キャビネットとが互いに係合されてなり、これら第１キャビネット及び第２キャビネットが当該表示装置の外観を構成する外箱とされ、
前記第２キャビネットには、前記第１キャビネット側に突出する凸部が形成され、
前記第１キャビネットには、前記表示パネルを係止する爪部と、前記爪部の前記表示パネルを係止する側とは反対側に配され、前記凸部が収容される凸部収容部が形成されており、
前記凸部収容部に収容された前記凸部が、前記爪部を前記表示パネル側に付勢しており、
さらに、前記光源からの光を拡散する光学シートを備え、
前記第１キャビネットには、前記光学シートを挟持するための第１挟持用部材が同一平面内に複数形成されるとともに、隣り合う前記第１挟持用部材の間には前記爪部が形成され、
前記第２キャビネットには、前記第１挟持用部材との間で前記光学シートを挟持する第２挟持用部材が形成されていることを特徴とする表示装置。
【請求項２】
前記第１キャビネットは枠状に構成され、その枠内に前記表示パネルの表示面が配されていることを特徴とする請求項１に記載の表示装置。
【請求項３】
前記第１キャビネットは弾性変形可能な爪部を備え、その爪部に前記表示パネルが係止されていることを特徴とする請求項１又は請求項２に記載の表示装置。
【請求項４】
前記第２キャビネットは、底面と、前記底面から立設する壁部とを備え、
前記底面に前記光源が取り付けられていることを特徴とする請求項１から請求項３のいずれか１項に記載の表示装置。
【請求項５】
前記第２キャビネットの内側には、前記光源に対して駆動電力を供給するための駆動電力供給基板が配されていることを特徴とする請求項１から請求項４のいずれか１項に記載の表示装置。
【請求項６】
前記光源からの光を拡散する光学シートを備え、
前記光学シートは、前記第１キャビネットと前記第２キャビネットとにより挟持されていることを特徴とする請求項１から請求項５のいずれか１項に記載の表示装置。
【請求項７】
前記凸部が前記光学シートの面方向の移動を規制していることを特徴とする請求項１から請求項６のいずれか１項に記載の表示装置。
【請求項８】
前記光源からの光を拡散する光学シートを備え、
前記光学シートは、前記第１キャビネットに挟持されていることを特徴とする請求項１から請求項７のいずれか１項に記載の表示装置。
【請求項９】
前記第２キャビネットは前記光源が取り付けられた底面を備え、
前記底面の一部の領域に前記光源が偏在してなる一方、前記底面の前記光源が配された領域と異なる領域には、前記光源に対して駆動電力を供給するための駆動電力供給基板が配されていることを特徴とする請求項１から請求項８のいずれか１項に記載の表示装置。
【請求項１０】
前記表示パネルが液晶を用いた液晶パネルであることを特徴とする請求項１から請求項９のいずれか１項に記載の表示装置。
【請求項１１】
請求項１から請求項１０のいずれか１項に記載の表示装置を備えることを特徴とするテレビ受信装置。
【国際調査報告】
2010146934.tif 000015
2010146934.tif 000016
2010146934.tif 000017
2010146934.tif 000018
2010146934.tif 000019
2010146934.tif 000020